(57)【要約】【課題】本発明の課題は、訪問者の入退域の受け付けの無人化を図るとともに、円滑な入退域管理およびセキュリティの向上を達成し得る入退域セキュリティ管理システムを提供することにある。【解決手段】本発明の請求項１に関わる入退域セキュリティ管理システムは、訪問者が来訪した際に訪問者明示情報を伝達する訪問者明示情報伝達手段１１と、訪問者を特定する識別コードを作成し、伝達された訪問者明示情報に基づいて識別コードを含む入域許可情報を発生し、訪問者の入域の可否を決定する訪問者情報処理装置３、５と、識別コードを含む入域許可情報を記録した識別カードｃａを訪問者に発行するカード発行手段１１ｄと、ゲートＧｉ、ｓＧｊに挿入された訪問者の識別カードｃａから読み取った識別コードに応じて、ゲートＧｉ、ｓＧｊにゲート開閉制御信号を送信し当該ゲートＧｉ、ｓＧｊを開閉制御するゲート開閉制御装置３とを具備することを特徴としている。【選択図】  図５
2004197535.tif 000002
【特許請求の範囲】
【請求項１】
訪問者に所定の識別カードを発行し、該識別カードによって管理区域に設置されたゲートの開閉制御により、訪問者の前記管理区域への入退を管理する入退域セキュリティ管理システムであって、
訪問者が来訪した際に訪問者明示情報を伝達する訪問者明示情報伝達手段と、
訪問者を特定する識別コードを作成し、伝達された前記訪問者明示情報に基づいて前記識別コードを含む入域許可情報を発生し、該訪問者の入域の可否を決定する訪問者情報処理装置と、
前記識別コードを含む入域許可情報を記録した識別カードを訪問者に発行するカード発行手段と、
前記ゲートに挿入された前記訪問者の識別カードから読み取った識別コードに応じて、前記ゲートにゲート開閉制御信号を送信し当該ゲートを開閉制御するゲート開閉制御装置と
を具備することを特徴とする入退域セキュリティ管理システム。
【請求項２】
前記訪問者情報処理装置は、
前記伝達された訪問者明示情報に従って該訪問者の入域の可否の決定の入力を行う端末装置と、
前記端末装置に社内ネットまたはインターネット経由で接続され、訪問者を特定する識別コードを作成し、入域可と決定された訪問者に対して前記識別コードを含む入域許可情報を発生する訪問者情報処理手段と
を備えることを特徴とする請求項１に記載の入退域セキュリティ管理システム。
【請求項３】
前記訪問者明示情報伝達手段は、前記訪問者の所持する名刺に記録された情報を読み取る情報読み取り手段を備える
ことを特徴とする請求項１または請求項２に記載の入退域セキュリティ管理システム。
【請求項４】
前記訪問者明示情報伝達手段は、来訪した前記訪問者の画像を撮影する撮影手段を具え、
前記入域許可情報は、前記訪問者の画像を含むことを特徴とする請求項１から請求項３のうちの何れか一項に記載の入退域セキュリティ管理システム。
【請求項５】
前記入域許可情報は、訪問者の氏名、所属組織、または訪問者が面会する面会者情報の少なくとも何れか一つを含む
ことを特徴とする請求項１から請求項４のうちの何れか一項に記載の入退域セキュリティ管理システム。
【請求項６】
前記ゲート開閉制御装置は、前記ゲートが識別カードを読み取った日時が、前記訪問者の識別コードに対応して設定されたゲート通過の有効期限内である場合にのみ、ゲート開制御信号を前記ゲートに送信し開制御する
ことを特徴とする請求項１から請求項５のうちの何れか一項に記載の入退域セキュリティ管理システム。
【請求項７】
前記ゲートは、予め訪問者によるゲートの通過の可否の水準を表すゲート開水準情報が設定され、
前記識別コードは、訪問者に応じて入域可能なエリアを許可するために通過可能なゲートを示すゲート通過水準情報が付与され、
前記ゲート開閉制御装置は、前記識別コードに応じたゲート通過水準情報が前記ゲートのゲート開水準情報を満足する場合にのみ、ゲート開制御信号を前記ゲートに送信し開制御する
ことを特徴とする請求項１から請求項６のうちの何れか一項に記載の入退域セキュリティ管理システム。
【請求項８】
前記ゲートのゲート開水準情報は、設定セキュリティグループと該設定セキュリティグループに従属する設定セキュリティレベルとを有し、
前記識別コードのゲート通過水準情報は、付与セキュリティグループと該付与セキュリティグループに従属する付与セキュリティレベルとを有し、
前記付与セキュリティグループが前記設定セキュリティグループと同グループであり、且つ、前記付与セキュリティレベルが前記設定セキュリティレベル以上である場合に、前記識別コードのゲート通過水準情報が前記ゲートのゲート開水準情報を満足し、
前記ゲート開制御信号を前記ゲートに送信し開制御することを特徴とする請求項７に記載の入退域セキュリティ管理システム。
【請求項９】
前記ゲート開閉制御装置は、訪問者が前記ゲートを通過した場合、少なくとも通過ゲート特定情報および前記ゲートが読み取った識別コードを含むゲート通過情報を記録する
ことを特徴とする請求項１から請求項８のうちの何れか一項に記載の入退域セキュリティ管理システム。
【請求項１０】
前記ゲート開閉制御装置は、強制無効操作に起因して訪問者の識別コードに対応した強制無効情報を設定し、前記強制無効情報が設定されている場合は、前記ゲートの閉制御を保持し当該訪問者の通過を阻止する
ことを特徴とする請求項１から請求項９のうちの何れか一項に記載の入退域セキュリティ管理システム。
【請求項１１】
前記ゲートは、入口／出口ゲートを含み、
前記ゲート開閉制御装置は、
前記訪問者が前記入口／出口ゲートを通過し入域した場合、または、前記入口／出口ゲートを通過し退域をした場合の何れか一つの場合に、少なくとも入域有情報または退域有情報の何れか一つを前記訪問者固有の識別コードに対応して設定し、
前記入退域した訪問者の識別カードから前記入口／出口ゲートが読み取った識別コードに対応する前記入域有情報または前記退域有情報の少なくとも何れか一つが設定されている場合は、前記入口／出口ゲートの閉制御を保持して当該訪問者の再度の入域を阻止する
ことを特徴とする請求項１から請求項１０のうちの何れか一項に記載の入退域セキュリティ管理システム。
【請求項１２】
前記ゲートは、前記入口／出口ゲート内の区域内ゲートを含み、
前記訪問者が前記入口／出口ゲートを通過し入域した場合には入域有情報を前記訪問者固有の識別コードに対応して設定し、
前記ゲート開閉制御装置は、前記区域内ゲートが読み取った前記訪問者の識別カードの識別コードに対応して、
前記入域有情報が設定されている場合にはゲート開制御信号を前記区域内ゲートに送信し開制御を行い、
前記入域有情報が設定されていない場合には前記区域内ゲートの閉制御を保持する
ことを特徴とする請求項１１に記載の入退域セキュリティ管理システム。
【請求項１３】
前記ゲート開閉制御装置は、前記訪問者の面会に起因して該訪問者の識別コードに対応して面会有情報を設定し、
前記入口／出口ゲートが読み取った前記訪問者の識別カードの識別コードに対応して、
前記面会有情報が設定されている場合にはゲート開制御信号を前記入口／出口ゲートに送信して当該訪問者の退域のための開制御を行い、
前記面会有情報が設定されていない場合には前記入口／出口ゲートの閉制御を保持し当該訪問者の退域を阻止する
ことを特徴とする請求項１１または請求項１２に記載の入退域セキュリティ管理システム。
【発明の詳細な説明】
【０００１】
【発明の属する技術分野】
本発明は、主として臨時に入域する来訪者を対象に受付専属担当者を置かずに入退域セキュリティ管理をすることが可能な入退域セキュリティ管理システムに関する。
【０００２】
【従来の技術】
従来、デ−タセンター、オフィス・ビル等への訪問者に対するセキュリティ管理は、ビル内の所定場所に受付専属対応者を配置し、受付専属対応者が訪問者の身分証明書を確認して所属会社、氏名等の記載を受けた後に入館の可否の判断を行い、館内用の身分証明書を発行して入館を許可する等の対応が一般的である。
【０００３】
また、昨今のインテリジェント・ビルにおいては、来訪者が所持する予め貸与されたＩＣカード等をビル内設置のカードリーダーに読み込ませ、サーバのデータベースに格納されたＩＣカード番号に対する個人情報に対し、何処のドアを通過したかを記録していくような装置が出現している。
【０００４】
該装置においては、ＩＣカードをカードリーダーに通すことによってドアの開閉の制御を行っている。
【０００５】
上記身分証明書、ＩＣカードには、所要事項は記載されているものの入館を許可した訪問者の顔写真は付されていない。
【０００６】
【発明が解決しようとする課題】
ところで、上述の受付専属対応者を配置する方法は、来訪者に適切な対応が可能であり、不審者の侵入をほぼ完全に防止できる等のセキュリティ面には優れるが、費用がかかり過ぎるという問題が発生している。
【０００７】
上記費用は、昨今の２４時間稼動の特殊用途ビルではいっそう増大し、より顕著なものとなっている。
【０００８】
上述のＩＣカードを用いて入退館管理を行う方法は、ＩＣカードの使用、およびそれに記録される情報が暗号化がされているため、コストが高騰するという問題を有している。
【０００９】
さらに、入館のセキュリティを高めれば高めるほど、訪問してきた人の入館が不可となるケースが増加し、入退館の管理が煩雑となる不都合がある。
【００１０】
加えて、身分証明書、ＩＣカードには入館を許可した訪問者の顔写真は付されていないため、館内の人間が入館した人が入館を許可された人であるか無断入館者であるかを判別する方法がないという問題がある。
【００１１】
本発明は上記実状に鑑み、従来の問題点を解決するものであり、受付専属対応者の配置費用を不要にするとともに来訪者への適切な応対が可能となる。同時に電話、画像によりあたかも入館承認者が直接来訪者と会話している状態を創出することにより入館者と不審者の識別精度を飛躍的に向上させること及び承認者、入館承認時刻、入館時刻、入館者会社名、氏名、入館者画像、面会確認者、面会確認時間、退館時間を記録することにより防犯上の事故発生時に不審者検索精度の飛躍的な向上を目的とする。
【００１２】
すなわち、本発明は、訪問者の入退域の受け付けの無人化を図るとともに、円滑な入退域管理およびセキュリティの向上を達成し得る入退域セキュリティ管理システムの提供を目的とする。
【００１３】
【課題を解決するための手段】
上記目的を達成するべく、本発明の請求項１に関わる入退域セキュリティ管理システムは、訪問者に所定の識別カードを発行し、識別カードによって管理区域に設置されたゲートの開閉制御により、訪問者の管理区域への入退を管理する入退域セキュリティ管理システムであって、訪問者が来訪した際に訪問者明示情報を伝達する訪問者明示情報伝達手段と、訪問者を特定する識別コードを作成し、伝達された訪問者明示情報に基づいて識別コードを含む入域許可情報を発生し、訪問者の入域の可否を決定する訪問者情報処理装置と、識別コードを含む入域許可情報を記録した識別カードを訪問者に発行するカード発行手段と、ゲートに挿入された訪問者の識別カードから読み取った識別コードに応じて、ゲートにゲート開閉制御信号を送信し当該ゲートを開閉制御するゲート開閉制御装置とを具備することを特徴としている。
【００１４】
本発明の請求項２に関わる入退域セキュリティ管理システムは、請求項１に記載の入退域セキュリティ管理システムにおいて、訪問者情報処理装置は、伝達された訪問者明示情報に従って該訪問者の入域の可否の決定の入力を行う端末装置と、端末装置に社内ネットまたはインターネット経由で接続され、訪問者を特定する識別コードを作成し、入域可と決定された訪問者に対して識別コードを含む入域許可情報を発生する訪問者情報処理手段とを備えることを特徴としている。
【００１５】
本発明の請求項３に関わる入退域セキュリティ管理システムは、請求項１または請求項２に記載の入退域セキュリティ管理システムにおいて、訪問者明示情報伝達手段は、訪問者の所持する名刺に記録された情報を読み取る情報読み取り手段を備えることを特徴としている。
【００１６】
本発明の請求項４に関わる入退域セキュリティ管理システムは、請求項１から請求項３のうちの何れか一項に記載の入退域セキュリティ管理システムにおいて、訪問者明示情報伝達手段は、来訪した訪問者の画像を撮影する撮影手段を具え、入域許可情報は、訪問者の画像を含むことを特徴としている。
【００１７】
本発明の請求項５に関わる入退域セキュリティ管理システムは、請求項１から請求項４のうちの何れか一項に記載の入退域セキュリティ管理システムにおいて、入域許可情報は、訪問者の氏名、所属組織、または訪問者が面会する面会者情報の少なくとも何れか一つを含むことを特徴としている。
【００１８】
本発明の請求項６に関わる入退域セキュリティ管理システムは、請求項１から請求項５のうちの何れか一項に記載の入退域セキュリティ管理システムにおいて、ゲート開閉制御装置は、ゲートが識別カードを読み取った日時が、訪問者の識別コードに対応して設定されたゲート通過の有効期限内である場合にのみ、ゲート開制御信号をゲートに送信し開制御することを特徴としている。
【００１９】
本発明の請求項７に関わる入退域セキュリティ管理システムは、請求項１から請求項６のうちの何れか一項に記載の入退域セキュリティ管理システムにおいて、ゲートは、予め訪問者によるゲートの通過の可否の水準を表すゲート開水準情報が設定され、識別コードは、訪問者に応じて入域可能なエリアを許可するために通過可能なゲートを示すゲート通過水準情報が付与され、ゲート開閉制御装置は、識別コードに応じたゲート通過水準情報がゲートのゲート開水準情報を満足する場合にのみ、ゲート開制御信号をゲートに送信し開制御することを特徴としている。
【００２０】
本発明の請求項８に関わる入退域セキュリティ管理システムは、請求項７に記載の入退域セキュリティ管理システムにおいて、ゲートのゲート開水準情報は、設定セキュリティグループと設定セキュリティグループに従属する設定セキュリティレベルとを有し、識別コードのゲート通過水準情報は、付与セキュリティグループと付与セキュリティグループに従属する付与セキュリティレベルとを有し、付与セキュリティグループが設定セキュリティグループと同グループであり、且つ、付与セキュリティレベルが設定セキュリティレベル以上である場合に、識別コードのゲート通過水準情報がゲートのゲート開水準情報を満足し、ゲート開制御信号をゲートに送信し開制御することを特徴としている。
【００２１】
本発明の請求項９に関わる入退域セキュリティ管理システムは、請求項１から請求項８のうちの何れか一項に記載の入退域セキュリティ管理システムにおいて、ゲート開閉制御装置は、訪問者がゲートを通過した場合、少なくとも通過ゲート特定情報およびゲートが読み取った識別コードを含むゲート通過情報を記録することを特徴としている。
【００２２】
本発明の請求項１０に関わる入退域セキュリティ管理システムは、請求項１から請求項９のうちの何れか一項に記載の入退域セキュリティ管理システムにおいて、ゲート開閉制御装置は、強制無効操作に起因して訪問者の識別コードに対応した強制無効情報を設定し、強制無効情報が設定されている場合は、ゲートの閉制御を保持し当該訪問者の通過を阻止することを特徴としている。
【００２３】
本発明の請求項１１に関わる入退域セキュリティ管理システムは、請求項１から請求項１０のうちの何れか一項に記載の入退域セキュリティ管理システムにおいて、ゲートは、入口／出口ゲートを含み、ゲート開閉制御装置は、訪問者が入口／出口ゲートを通過し入域した場合、または、入口／出口ゲートを通過し退域をした場合の何れか一つの場合に、少なくとも入域有情報または退域有情報の何れか一つを訪問者固有の識別コードに対応して設定し、入退域した訪問者の識別カードから入口／出口ゲートが読み取った識別コードに対応する入域有情報または退域有情報の少なくとも何れか一つが設定されている場合は、入口／出口ゲートの閉制御を保持して当該訪問者の再度の入域を阻止することを特徴としている。
【００２４】
本発明の請求項１２に関わる入退域セキュリティ管理システムは、請求項１１に記載の入退域セキュリティ管理システムにおいて、ゲートは、入口／出口ゲート内の区域内ゲートを含み、訪問者が入口／出口ゲートを通過し入域した場合には入域有情報を訪問者固有の識別コードに対応して設定し、ゲート開閉制御装置は、区域内ゲートが読み取った訪問者の識別カードの識別コードに対応して、入域有情報が設定されている場合にはゲート開制御信号を区域内ゲートに送信し開制御を行い、入域有情報が設定されていない場合には区域内ゲートの閉制御を保持することを特徴としている。
【００２５】
本発明の請求項１３に関わる入退域セキュリティ管理システムは、請求項１１または請求項１２に記載の入退域セキュリティ管理システムにおいて、ゲート開閉制御装置は、訪問者の面会に起因して訪問者の識別コードに対応して面会有情報を設定し、入口／出口ゲートが読み取った訪問者の識別カードの識別コードに対応して、面会有情報が設定されている場合にはゲート開制御信号を入口／出口ゲートに送信して当該訪問者の退域のための開制御を行い、面会有情報が設定されていない場合には入口／出口ゲートの閉制御を保持し当該訪問者の退域を阻止することを特徴としている。
【００２６】
【発明の実施の形態】
以下、実施例を示す図面に基づいて、本発明を詳細に説明する。
【００２７】
まず、第１実施例について説明する。
【００２８】
第１実施例は来訪者に対する受付業務を行い、入退館セキュリティを管理する入退館セキュリティシステムであって、図２に示すように、入退館セキュリティ管理システム、入館承認システム２０、受付セキュリティ端末装置（訪問者明示情報伝達手段）１０、入館証である識別カード、セキュリティゲート（ゲート、入口／出口ゲート）４０から構成される。
【００２９】
入退館セキュリティ管理システムは無停電電源部、管理サーバ（ゲート開閉制御装置）３ａ、ネットワーク接続機器６０、セキュリティゲート駆動接点により構成され、ネットワークにより後述の入館承認システム２０および受付セキュリティ端末装置１０と接続される。また、この入退館管理システム３０は来訪者のセキュリティデータベースを持つ。
【００３０】
入館承認システム２０は無停電電源部及びウェブサーバ（承認用サーバ）（訪問者情報処理装置、訪問者情報処理手段）２ａ、ネットワーク接続機器６０から構成され、内部ネットワーク又はインターネット経由で既設の各個人の汎用業務用パソコン（訪問者情報処理装置、端末装置）５０に接続される。また、入館承認システム２０および入退館セキュリティ管理システムとネットワーク経由で接続される。セキュリティ上場合により入館承認システム２０および入退館管理システム接続用ネットワークとその他のネットワークはファイアウォール、ルータ等で切り離すものとする。
【００３１】
受付セキュリティ端末装置１０は自動受付案内システム及び来訪者撮像部（撮影手段）１ｃ、識別カード発券機（カード発行手段）１ｂ、専用電話機１ａから構成され、ネットワークにより入館承認システム２０および入退館セキュリティ管理システムと接続される。
【００３２】
セキュリティゲート４０は機械的に開閉する動作をおこない、識別カード読み取り機４ａを持つ。セキュリティゲート４０は建築、機械的構造は侵入が困難な構造を持つものとし、入退館セキュリティ管理システム（ゲート開閉制御装置）からの信号により一度に１人のみ通過できるものとする。識別カード読み取り機４ａはネットワーク経由で入退館セキュリティ管理システムに接続される。セキュリティエリア内にさらに設置されるサブセキュリティゲート（ゲート、区域内ゲート）についても機能は同様とする。
【００３３】
識別カードはＩＣカード、磁気カード、バーコード等であり、数字が書き込めるものであれば種類は問わない。セキュリティゲート４０の読み取り機４ａは各種の識別カードに対応したものとする。
【００３４】
来訪者は受付セキュリティ端末装置１０を操作し、専用電話機１ａで入館承認者に連絡をとり入館承認者に入館承認手続きの依頼（訪問者明示情報）を行う。
【００３５】
ここで、来訪者とは不特定の訪問者であり、セキュリティの施されたエリア内部の社員等に面会、作業等のために訪れた者を言う。入館を許可できる権限をもつ者全般を承認権限者と言う。承認権限者のみ、入館承認者及び面会確認者となることができる。入館承認者とは現に来訪者に対し入館の許可をした、またはしようとしている特定の個人をいう。面会者とは来訪者が現に面会した、またはしようとしている特定の個人を言う。面会確認者とは面会者本人または面会者から指示された者であって、現に面会確認作業を行う特定の個人を言う。
【００３６】
入館承認者は事前に整理番号、氏名、パスワードを承認権限者として登録しておく。登録は入退館セキュリティ管理システムに直接行う。ただし、ネットワークが限定された範囲内である等のセキュリティ上問題がないと認められる場合には、入退館承認システムのホームページ上で登録権限者登録設定機能を持たせ、任意に登録が出来るものとする。
【００３７】
来訪者の依頼を受けた入館承認者はネットワークに接続されている最寄のパソコン５０で汎用ブラウザソフトを立ち上げ、入退館承認システムの承認作業用ホームページにアクセスし、ホームページ上で撮像機１ｃにて送られる画像にて来訪者が本人であることを確認し、承認を行う。承認は承認権限者が来訪者の会社名、氏名を入力することにより行う。承認作業時にはあらかじめ登録されたパスワードが必要となる。ここで、入館承認作業は同一建物内にいることを要求されず、ネットワークが接続され、汎用ブラウザを持つ機器があることのみ要求される。
【００３８】
入退館セキュリティ管理システムは承認権限者からの承認内容（入域許可情報）を入館承認システム（訪問者情報処理装置）２０から受け取り、識別カードを発行する。その際、８桁以上の乱数にて識別カードに識別番号を付与し、同時に識別カードに識別番号の記録を行う。ただし、識別カードは同時に有効になっている識別番号は無いものとする。
【００３９】
なお、本実施例においては、識別番号は８桁以上の乱数とするが、来訪者を識別することができれば、桁数は任意の桁を選択して採用し得るものである。
【００４０】
入退館セキュリティ管理システムは制御用情報として個別の識別番号に対し、入館有効フラグおよび退館有効フラグを持つ。
【００４１】
入館有効フラグは、下記の条件の際に有効で入館が可能となる。すなわち、（１）入館承認者によって入館が承認されている。（２）セキュリティゲート４０の入館側を通過していない。（３）承認権限者から強制無効操作をされていない。（４）セキュリティゲート４０の退館側を通過していない。（５）有効期限内である。
【００４２】
退館有効フラグは、下記の条件の際に有効で退館が可能である。すなわち、（１）承認権限者によって入館が承認されている。（２）面会確認者により面会確認操作がなされている。（３）セキュリティゲート４０の退館側を通過していない。（４）承認権限者から強制無効操作をされていない。（５）有効期限内である。
【００４３】
入退館管理システム３０は臨時入館者の会社名、氏名、画像、入館承認時刻、入館承認者、入館時刻、各セキュリティゲート４０及び各サブセキュリティゲート通過時刻、面会確認時刻、面会確認者、退館時刻を管理サーバ３ａに記録すると同時に電子メールにて入館承認者に承認記録を送る。
【００４４】
入退館セキュリティ管理システムは入館承認者の承認操作と同時に、識別カードに付与された識別番号を記憶し入館フラグを有効にする。
【００４５】
来訪者は受付セキュリティ端末装置１０から識別カードを受け取り、セキュリティゲート４０の識別カード読取装置４ａへ読み込ませることによりセキュリティゲート４０を通過し、入館することが出来る。入退館セキュリティ管理システムは来訪者がセキュリティゲート４０を通過した場合、入館フラグを無効（入域有情報）とし、同一の識別番号での入館を禁止する。サブセキュリティゲートについても同様である。
【００４６】
来訪者が識別カードを受け取れない場合、発券された識別カードが悪用される恐れがあるので、承認権限者はその事実を知った場合直ちに入館承認システム２０にて強制無効操作を行う。この時、強制無効操作は承認権限者であることのみ必要とされる。
【００４７】
なお、強制無効の内容は、上記承認権限者へ電子メールにて強制無効の記録として送られる。
【００４８】
入退館管理システム３０は入館承認システム２０から任意に設定する識別カードの有効期限を記録しており、有効期限を過ぎた識別カードは入館も退館もできなくなる。
【００４９】
来訪者は入館後面会者に面会し、用事を終えたあと面会者は来訪者の面会確認作業を入館承認システム２０にて行う。この時、面会確認作業は承認権限者であることのみ必要とされ、入館承認者、面会者であることは問わない。
【００５０】
なお、面会確認の内容は、面会確認作業者へ電子メールにて面会確認の記録として送られる。
【００５１】
入退館セキュリティ管理システムは承認権限者による面会確認作業により退館有効フラグを有効にする。この作業により来訪者は退館する事が可能となる。
【００５２】
入退館セキュリティ管理システムはセキュリティゲート４０を来訪者が退館すると、退館有効フラグを無効（退域有情報）とし、識別番号は完全に無効となる。
【００５３】
識別カードにはセキュリティグループ（ゲート通過水準情報、付与セキュリティグループ）およびセキュリティレベル（ゲート通過水準情報、付与セキュリティレベル）を設定できるものとし、入館後の各サブセキュリティゲートの通過は設定された情報により管理する。
【００５４】
図２に接続系統図を示す。来訪者は受付セキュリティ端末装置１０にて承認権限者へ入館承認依頼を行う。
【００５５】
入館承認者は入館承認作業を図３に示すような様式のネットワーク上の入館承認システムにて行う。ネットワークはＬＡＮで構成される。最寄の情報端末より、インターネットエクスプローラにより入館承認システム２０のホームページにアクセスし、社員番号、パスワードを入力して来訪者の入館承認作業を行う。
【００５６】
来訪者は受付セキュリティ端末装置１０から発行される識別カードを受け取り、セキュリティゲート４０を通過し入館する。識別カードは入館１回限り有効である。
【００５７】
来訪者が用事を済ませた後、面会者は面会確認作業を図４に示すような様式の入館承認システム２０にて行う。この操作により来訪者の識別カードは退館が可能となる。
【００５８】
来訪者はセキュリティゲート４０を通過し、退館する。
【００５９】
承認権限者は任意に来訪者の識別カードを入館承認システム２０により強制無効することが出来る。強制無効とされた識別カードは入館も退館も禁止される。サブセキュリティゲートの通過も禁止される。
【００６０】
識別カードには入館承認システムにて任意にセキュリティレベル及びセキュリティグループを設定することができ、館内の各サブセキュリティゲートにおいて通過できる範囲を設定できるものとする。ただし、セキュリティレベル及びグループは入退館セキュリティ管理システムで判断するものとし、識別カード本体には記録しない。
【００６１】
入退館セキュリティ管理システムに記録された情報はすべて任意及び定時に紙に印字することができる。また、識別カードのフラグ状況についても入退館セキュリティ管理システムにて任意に参照することが出来る。
【００６２】
なお、上述の実施例においては、ネットワ−ク上のアクセス負荷が過大になりレスポンスが遅くなる場合があるため、インターネット上のアクセス等を受け持つウェブサーバとデータの管理等を行う管理サーバ３ａとの２台のサーバを用いる例を示したが、２台のサーバを用いることなく１台のサーバでも実施可能であり、また３台以上のサーバを用いてもよく、サーバの数は適宜、任意に選択可能である。
【００６３】
上記構成によれば、受付、入退館管理の費用を低減するとともに、来訪者への適切な対応が可能である。また、従来の識別カードの回収が必要な装置とは違い、回収の必要がないので識別カードの紛失、盗難、破損、汚損、持ち去りにも柔軟に対応できる。そのため、十分にセキュリティを保ちつつ、臨時入館者の管理が可能である。汎用のブラウザで入館承認システム２０へ接続出来るため、入館承認システム２０の端末を個人の汎用業務用パソコン５０と兼用することが出来る。そのため、入館承認システムの端末の設置費用を大幅に節減できる。
【００６４】
次に、第２実施例について説明する。
【００６５】
本発明に関わる第２実施例である入退館セキュリティ管理システムの概要は以下の通りである。
【００６６】
訪問者がビル（管理区域）に来訪し面会者等の入館承認者に面会用端末装置でアクセスすると、入館承認者がカメラの把える訪問者の映像等を確認して、入館を許可する場合は、入館承認オペレーションを汎用端末装置で行い訪問者情報をシステムに記録するとともに、訪問者に対して訪問者の画像および情報が記録された入館証である識別カードを発行する。
【００６７】
識別カードを取得した訪問者は、識別カードを通行用の各ゲートに設置された識別カード読み取り機に読み取らせることにより当該ゲートを通過することが可能となり、所定のゲートを通過して面会者と面会する。
【００６８】
訪問者の面会後、面会者等の面会確認者が汎用端末装置において面会確認オペレーションを行うことにより、訪問者が識別カードを出口のゲートに設置された識別カード読み取り機に読み取らせて当該ゲートを通過し退館することができる。
【００６９】
なお、訪問者の上記ゲート通過情報（通過ゲート特定情報、ゲート通過情報）は逐一システムに記録され、また、上記識別カードは、１回の入館退館動作により無効となり同一識別カードで再度入館することは不可能となる。
【００７０】
ここで、各ゲートはセキュリティグループ（ゲート開水準情報、設定セキュリティグループ）、セキュリティレベル（ゲート開水準情報、設定セキュリティレベル）が設定されており、夫々の訪問者に付与されたセキュリティグループ（ゲート通過水準情報、付与セキュリティグループ）、セキュリティレベル（ゲート通過水準情報、付与セキュリティレベル）により通過可能なゲートが決定されている。
【００７１】
第２実施例のハードウェア構成は、図５に示すように、訪問者の受け付けを行う受付セキュリティ端末装置（訪問者明示情報伝達手段）１１と、システム情報が記録される複数のデータベース（ＤＢ）が格納されるサーバ（訪問者情報処理装置、訪問者情報処理手段、ゲート開閉制御装置）３と、通行の際に挿入される入館証である識別カードｃの情報を読み取る識別カード読み取り機４を有した訪問者の通行するためのセキュリティゲート（ゲート、入口／出口ゲート）Ｇｉ（ｉ＝１、２、…、ｍ：ｍはセキュリティゲートの数を表しその最大値）、サブセキュリティゲート（ゲート、区域内ゲート）ｓＧｊ（ｊ＝１、２、…、ｎ：ｎはサブセキュリティゲートの数を表しその最大値）と、入館承認者、面会確認者が適宜オペレーションを行うための汎用業務用パソコン（訪問者情報処理装置、端末装置）５と、電話線９１が接続される構内用電話交換器８１と、ファイアウォール、ルータ等のネットワーク接続機器（図示せず）とを具備している。
【００７２】
なお、ネットワークは、図５に示すＬＡＮまたはインターネット等を適宜、選択して構成することが可能であり、本入退館セキュリティ管理システムのユーザーは、携帯情報端末等のインターネット経由でサーバ３にアクセスできる任意の端末装置を用いて本システムを利用することも可能である。
【００７３】
また、上記の機器はセキュリティ上、場合によりファイアウォール、ルータ等で切り離すものとする。
【００７４】
上記セキュリティゲートＧｉ（以下、ゲートＧｉと称す）は、ビルに入館する際に最初の入り口または出口となるゲートであり、サブセキュリティゲートｓＧｊ（以下、サブゲートｓＧｊと称す）とはゲートＧｉを通過してビル内に入った際にフロアに在るゲートを意味する。
【００７５】
なお、図５においては、受付セキュリティ端末装置１１を２台設置した場合を例示しているが、１台、３台、…等の任意の台数を設置可能であることは言うまでもない。
【００７６】
上記受付セキュリティ端末装置１１は、図６に示すように、内蔵されたパソコンの訪問者に正対して位置する表示画面１１ａと、専用電話機１１ｂと、入館のための識別カードｃを発行する識別カード発行機（カード発行手段）１１ｄと、来訪者を撮影する撮像部であり遠隔操作可能なネットワークカメラ（撮影手段）１１ｅとを具備している。
【００７７】
上記サーバ３は、ウェブサーバであり、図７に示すように、Ｃ言語、ＳＱＬ等で記述された入退館セキュリティ管理システムプログラムとともに個人データベース（以下、個人ＤＢと称す）、部署データベース（以下、部署ＤＢと称す）、入館データベース（以下、入館ＤＢと称す）、ゲート通過データベース（以下、ゲート通過ＤＢと称す）、ゲート管理データベース（以下、ゲート管理ＤＢと称す）、セキュリティグループデータベース（以下、セキュリティグループＤＢと称す）が格納され、また、適宜、受付セキュリティ端末装置１１における表示画面１１ａ、汎用業務用パソコン５等の画面５ａ等に表示されるブラウザ上の画面とデータの入出力を行う。
【００７８】
なお、プログラムの記述に用いられたＣ言語、ＳＱＬ等のプログラム言語は、その他のプログラム言語に代替可能であることは言うまでもない。
【００７９】
個人ＤＢは、訪問者の入館を承認する入館承認者、訪問者の面会を確認する面会確認者等が登録されるデーターベースであり、図８（ａ）に示すように、承認者ＩＤ番号をキー項目ｋとして部署名称コード、氏名、パスワード、ｅ−ｍａｉｌアドレスがレコード項目として記録される。
【００８０】
部署ＤＢは、承認者が所属する部署が登録されるデーターベースであり、図８（ｂ）に示すように、部署名称コードをキー項目ｋとして部署名称がレコード項目として記録される。
【００８１】
入館ＤＢは、訪問者がビルに入館する度にその訪問がレコードとして記録されるデータベースであり、図８（ｃ）に示すように、訪問者毎に付される識別コードをキー項目ｋとして、識別カードｃの発行日、発行時間、訪問者が所属する会社名、訪問者の氏名、訪問者の顔写真の画像データ、承認者ＩＤ番号、入館の有効期限、訪問者に設定されるセキュリティグループ、セキュリティレベル、さらには、入館確認、強制無効、面会確認、退館確認の有り無しのデータがフラグ、レジスタ等でレコード項目として記録される。
【００８２】
上記識別コードは、乱数発生器により発生され訪問者を特定するため固有に付される８桁の乱数であり、上記訪問者の顔写真の画像データは、訪問者が来訪した際に受付セキュリティ端末装置１１におけるネットワークカメラ１１ｅ（図５、図６参照）によって撮影される画像データであり、また、上記セキュリティグループ、セキュリティレベルは、入館承認者によって訪問者に相応しいものが付与される。
【００８３】
なお、承認者ＩＤ番号も副キーｋｆとしてレコードの検索に用いられる。
【００８４】
ゲート管理ＤＢは、全てのゲートＧｉおよびサブゲートｓＧｊを管理するデータベースであり、図８（ｄ）に示すように、各ゲートＧｉおよび各サブゲートｓＧｊには固有のゲートコードが付されキー項目ｋとし設定され、ゲートの設置場所がデータ項目として記録される。
【００８５】
ゲート通過ＤＢは、全てのゲートＧｉ、サブゲートｓＧｊの訪問者の通過を逐一記録するデータベースであり、図８（ｅ）に示すように、通過毎にシリアル・ナンバーが付されキー項目ｋとして設定し、ゲートの通過日付、ゲートの通過時間、通過したゲートコード、訪問者の識別コードがデータ項目として記録される。
【００８６】
なお、上記ゲートコード、上記識別コードは、これらの項目からもレコードが検索できるように副キーｋｆとして設定されている。
【００８７】
セキュリティグループＤＢは、訪問者に付与されるセキュリティグループ、セキュリティレベル（後述）に対して通過可能なゲートが記録されたデータベースであり、図８（ｆ）に示すように、セキュリティグループ、セキュリティレベルをキー項目ｋ、ｋｆとして、各セキュリティグループのセキュリティレベルで通過可能なゲートＧｉ、サブゲートｓＧｊのゲートコードがデータ項目として記録されている。
【００８８】
次に、ゲートＧｉ、サブゲートｓＧｊのそれぞれに予め設定されるセキュリティグループ、セキュリティレベルについて説明する。
【００８９】
上記各ゲートに予め設定されるセキュリティグループ、セキュリティレベルは、来訪する各訪問者に対応して通過可能なゲートを定めるため、各ゲートに対して設定されるものである。
【００９０】
上記各セキュリティグループは、訪問者の来訪先に応じて通過可能なゲートが異なるため訪問者の来訪先である会社、会社内組織の各部署等に応じて定められ、例えば、図９に示すように、総務部を訪れる訪問者が通過するゲートに対してはセキュリティグループ１を予め設定し、或いは、財務部を訪れる訪問者が通過するゲートに対しては予めセキュリティグループ２等を設定する。
【００９１】
また、このように各ゲートに設定したセキュリティグループにおいて、通常、訪問者の職制上のランク、例えば、役員、管理職、一般社員等に応じて訪問先の通過するゲートがさらに異なるため、各セキュリティグループが設定されたそれぞれのゲートに対してさらにセキュリティレベルを設定している。
【００９２】
また、上記セキュリティグループ、セキュリティレベルの原則として、各セキュリティグループは他のセキュリティグループとは独立であり、且つ、各セキュリティグループそれぞれに従属してセキュリティレベルが設定される。
【００９３】
よって、各セキュリティレベルは、その属するセキュリティグループにおいてのみ有効に通用し、他のセキュリティグループにおいては通用しないものとする。
【００９４】
上記セキュリティレベルの程度を表す数値等の大小は、セキュリティの高低を表し、セキュリティレベルの程度は該数値の昇順、降順何れへも設定可能である。
【００９５】
このようして、予め、セキュリティグループ、セキュリティレベルが設定された各ゲートＧｉ、各サブゲートｓＧｊに対して、各訪問者に応じて通過できるゲートを決定するため、訪問者に対して入館承認時にセキュリティグループ、セキュリティレベルを個別に付与する。
【００９６】
こうして、訪問者は、来訪した際の各ゲートＧｉ、各サブゲートｓＧｊ通過時に、システムにより自分に付与されたセキュリティグループ、セキュリティレベルと該ゲートに設定されたセキュリティグループ、セキュリティレベルとが比較対照され、訪問者に付与されたセキュリティグループと該ゲートのセキュリティグループとが同グループであり、且つ、訪問者に付与されたセキュリティレベルが該ゲートのセキュリティレベルよりも同等または上位の場合にのみ、該ゲートが開制御され訪問者が通過することができる。
【００９７】
なお、上述の方法により、訪問者が通過できるゲートが決定されるが、同一のゲートに異なるセキュリティグループが設定され、且つ、該異なるセキュリティグループの何れかと同一のセキュリティグループが付与された複数の訪問者が存在する場合、複数の訪問者が該同一のゲートを通過できることになる。
【００９８】
すなわち、任意の一つのゲートに設定された複数のセキュリティグループの何れかと同一のセキュリティグループが付与された各訪問者は、訪問者に付与されたセキュリティグループの付与されたセキュリティレベルが、該ゲートに設定された訪問者と同一のセキュリティグループの設定されたセキュリティレベルよりも同等または上位の場合にシステムによって当該ゲートが開制御され、その訪問者連が当該ゲートを通過できることになる。
【００９９】
上述の処理が、それぞれの訪問者に対して、各ゲートＧｉ、各サブゲートｓＧｊの通過時に行われる。
【０１００】
本実施例においては、セキュリティグループが最大２０個、１〜２０を作成し、各セキュリティグループ内にセキュリティレベルを最大５０個、１〜５０を設定するものとする。
【０１０１】
なお、セキュリティグループの数およびセキュリティレベルの数は適宜、任意に設定し得ることは言うまでもない。
【０１０２】
例えば、図１０は、図１１に示す２階立てのビルの１階にＸ社が、図１２に示す２階立てのビルの２階にＹ社が入居しているビルにおいて、入口／出口に在る各ゲートＧｉおよびフロア内に在る各サブゲートｓＧｊにセキュリティグループ、セキュリティレベルを設定した例を示している。
【０１０３】
本設定においては、セキュリティレベル１をセキュリティの最低レベルとしてセキュリティの程度を昇順に設定し、セキュリティレベルの数値が増加するにつれセキュリティの程度が上昇するものとしている。
【０１０４】
この場合、セキュリティレベル１が付与された訪問者は、当該セキュリティレベル１が属するセキュリティグループが設定され、且つセキュリティレベル１が設定されたゲートＧｉ、サブゲートｓＧｊのみを通過できる。
【０１０５】
また、セキュリティレベル２が付与された訪問者は、その属するセキュリティグループのセキュリティレベル１またはセキュリティレベル２が設定されたゲートのみを通過できる。
【０１０６】
例えば、セキュリティグループ１のセキュリティレベル１が付与された訪問者は、図１０に示す表から分かるように、図１１に示す入口／出口のゲートＧ１とサブゲートｓＧ１を通過してＸ社のフロアに入ることができるが、一方、セキュリティグループ１が設定されておらずセキュリティグループ２、３、４が設定された２階（図１２参照）のサブゲートｓＧ２、ｓＧ３を通過することができずＹ社のフロアに入ることはできない。
【０１０７】
また、セキュリティグループ３の最高位のセキュリティレベル３が付与された訪問者は、セキュリティグループ３のセキュリティレベル３以下のセキュリティレベル１、２、３が設定された入口／出口のゲートＧｉ、サブゲートｓＧｊを通過可能である。
【０１０８】
よって、当該訪問者は、図１１に示す入口／出口のゲートＧ２またはゲートＧ３を通過してエレベーターで２階に上がり、図１２に示すように、セキュリティレベル１が設定されたサブゲートｓＧ２またはｓＧ３を通過しＹ社のフロアに入り、そして、サブゲートｓＧ５を通過し情報システム部のエリアに入り、さらにセキュリティレベル３が設定されたサブゲートｓＧ６を通過して設計開発室に入室できる。
【０１０９】
該訪問者は、このように、セキュリティグループ３が設定された全てのゲートを通過することができるが、一方、セキュリティグループ３が設定されていないゲートは通過することができず、例えば、セキュリティグループ１が設定された入口／出口のゲートＧ１、サブゲートｓＧ１は通過することができず、Ｘ社のフロアに入ることはできない。
【０１１０】
また、セキュリティグループ４のセキュリティレベル２が付与された訪問者は、セキュリティグループ４のセキュリティレベル２以下のセキュリティレベル１、２が設定された何れの入口／出口のゲートＧｉおよびサブゲートｓＧｊを通過できる。
【０１１１】
よって、当該訪問者は、図１１に示す入口／出口のゲートＧ２またはゲートＧ３を通過してエレベーターで２階に上がり、図１２に示すように、セキュリティレベル１が設定されたサブゲートｓＧ２またはｓＧ３を通過してＹ社のフロアに入り、そして、サブゲートｓＧ７を通過して人事部内に入りセキュリティレベル２が設定されたサブゲートｓＧ１０を通過して人事資料室に入ったり、または、セキュリティレベル１が設定されたサブゲートｓＧ１１を通過し一般資料倉庫に入ることが可能である。
【０１１２】
なお、該訪問者は、セキュリティグループ４のセキュリティレベル２より高位であるセキュリティレベル３が設定されたサブゲートｓＧ８を通過して役員室１に入ったり、同じくセキュリティレベル３が設定されたサブゲートｓＧ９を通過して役員室２に入ることはできない。
【０１１３】
また、該訪問者は、セキュリティグループ４が設定されておらず他のセキュリティグループ１、２、３が設定された何れのゲートＧｉ、サブゲートｓＧｊも通過することができない。
【０１１４】
例えば、該訪問者は、セキュリティグループ３のセキュリティレベル２が設定されたサブゲートｓＧ４を通過して情報システム部のサーバルームに入ったり、或いは、セキュリティグループ３のセキュリティレベル３が設定されたサブゲートｓＧ６を通過して情報システム部の設計開発室に入ったり、或いは、セキュリティグループ１が設定されたサブゲートｓＧ１を通過してＸ社のフロアには入ることはできない。
【０１１５】
なお、上述した如く、同一のゲートＧｉ、サブゲートｓＧｊに複数のセキュリティグループが重複設定されている場合には、該複数のセキュリティグループの何れかと同じセキュリティグループが付与された複数の訪問者が、付与されたセキュリティレベルが該ゲートに設定された同セキュリティグループのセキュリティレベルと同等または上位の場合に該ゲートを通過できることになる。
【０１１６】
上記識別カードｃは、訪問者の入館が許可された場合に受付セキュリティ端末装置１１における識別カード発行機１１ｄから訪問者に対して発行されるカードであり、ＩＣカード等基本的に数字等のデータが記録できれば種類は問わず、ゲートＧｉおよびサブゲートｓＧｊの識別カード読み取り機４と対応したものであればよい。
【０１１７】
図１３は、識別カードｃの４つのタイプの例を示している。
【０１１８】
図１３（ａ）に示す識別カードｃａは、訪問者の入館日ｃａ１、訪問者の所属する会社名ｃａ２、訪問者の氏名ｃａ３、訪問者が来訪した際に受付セキュリティ端末装置１１におけるネットワークカメラ１１ｅ（図６参照）によって撮影される訪問者の顔写真ｃａ４、訪問を受ける側の面会者の部署名（面会者情報）ｃａ５、面会者の氏名（面会者情報）ｃａ６、訪問者毎に付される識別コードｃａ７、そのバーコードｃａ８等の情報が印刷されたカードである。
【０１１９】
図１３（ｂ）に示す識別カードｃｂは、訪問を受ける側の面会者の部署名、面会者の氏名は印刷されておらず、訪問者の入館日ｃｂ１、訪問者の会社名ｃｂ２、訪問者の氏名ｃｂ３、訪問者が来訪した際に撮影される訪問者の顔写真ｃｂ４、および訪問者毎に付される識別コードｃｂ５、そのバーコードｃｂ６の情報が印刷されたカードである。
【０１２０】
図１３（ｃ）に示す識別カードｃｃは、訪問者の顔写真が印刷されておらず、訪問者の入館日ｃｃ１、訪問者の会社名ｃｃ２、訪問者の氏名ｃｃ３、訪問を受ける側の面会者の部署名ｃｃ４、面会者の氏名ｃｃ５、および訪問者毎に付される識別コードｃｃ６、そのバーコードｃｃ７の情報が印刷されたカードである。
【０１２１】
図１３（ｄ）に示す識別カードｃｄは、訪問者の顔写真、面会者の部署名、面会者の氏名は印刷されておらず、訪問者の入館日ｃｄ１、訪問者の会社名ｃｄ２、訪問者の氏名ｃｄ３、および訪問者毎に付される識別コードｃｄ４、そのバーコードｃｄ５の情報が印刷されたカードである。
【０１２２】
上記図１３（ａ）、図１３（ｂ）に示す識別カードｃａ、ｃｂには訪問者の顔写真が印刷されているので、訪問者が入館した場合に館内で訪問者の顔と顔写真とを照合して本人を確認することが可能であり、不正入館者の発見等の高度のセキュリティ管理を行うことが可能である。
【０１２３】
上記ゲートＧｉ、サブゲートｓＧｊは、付属して設置される識別カード読み取り機４に訪問者が発行された識別カードｃを挿入することにより、識別カードｃから識別コードが読み取られる。
【０１２４】
そして、入館ＤＢに記録された入館承認者により付与された該識別コードに対応するセキュリティグループ、セキュリティレベルが該ゲートを通過するのに適合したものであるならば、上述したように、その訪問者が通過できるものである。
【０１２５】
ゲートＧｉ、サブゲートｓＧｊの開閉方法としては、識別カードｃを識別カード読み取り機４に認識させてから開ゲートし、訪問者の通過を赤外線センサー等で検知し、検知後にゲートを閉じ通行済みとする。
【０１２６】
または、識別カードｃを識別カード読み取り機４に認識させてから開ゲートし、適当な時間経過後にゲートを閉じ通行済みとする等の方法がある。
【０１２７】
次に、本システムにおいて使用される主要な画面をその遷移図を示す図１４を用いて説明する。
【０１２８】
訪問者の来訪を受ける側の本システムを利用するユーザーがオペレーションを行う初期画面であるログイン・メニュー画面Ｇａからは、訪問者の入館を承認する入館承認者、訪問者の面会確認を行う面会確認者等を登録するための承認者登録画面Ｇｂと、訪問者が来訪した際に入館承認者が入館を承認するための入館承認画面Ｇｃと、訪問者との面会後に面会確認を行ったり、誤って識別カードｃを発行した際にそのカードによるゲートの通過を無効にするための面会確認・強制無効画面Ｇｄとに移行することができる。
【０１２９】
なお、入館承認画面Ｇｃからは、続いて訪問者に対して入館に必要な入館証である識別カードｃを発行するための識別カード発行確認画面Ｇｅに遷移する。
【０１３０】
ログイン・メニュー画面Ｇａは、図１５に示すように、来訪を受ける本システムを利用するユーザーが、自分のユーザＩＤを入力するためのユーザＩＤ入力フィールドＧａ１、自分のパスワードを入力するためのパスワード入力フィールドＧａ２を有している。
【０１３１】
また、ログイン・メニュー画面Ｇａから移行することができるメニューとして、訪問者の入館等を承認する承認者を登録する場合には承認者登録Ｇａ３をクリックすることにより承認者登録画面Ｇｂに移行することができ、また、訪問者が来訪した際に入館を承認する場合は入館証発行Ｇａ４をクリックすることにより入館承認画面Ｇｃに移行することができ、また、訪問者との面会後に面会確認を入力したり、誤って識別カードｃを発行した際にそのカードによるゲートの通過を無効にする場合には面会確認・強制無効Ｇａ５をクリックすることにより面会確認・強制無効画面Ｇｄに移行することができる。
【０１３２】
なお、個人ＤＢに承認者として登録されていない場合、承認者登録Ｇａ３メニューには入ることができるが、その他の入館証発行Ｇａ４メニュー、面会確認・強制無効Ｇａ５メニューには入ることができない。
【０１３３】
よって、本システムが利用可能なユーザーとなるためには、個人ＤＢに登録されていることが必要な条件となる。
【０１３４】
上記承認者登録Ｇａ３、入館証発行Ｇａ４、または面会確認・強制無効Ｇａ５の何れかを選択してクリックした後、ログイン釦Ｇａ６をクリックすることにより、入力されたユーザＩＤ、パスワードが本システムの利用を許可するものであるならば、選択した画面に移行することができる。
【０１３５】
承認者登録画面Ｇｂは、図１６に示すように、ユーザーが部署名称コードを選択して入力するための部署名称コード入力フィールドＧｂ１と、部署名称コードを選択することにより部署名称がシステム表示される部署名称表示フィールドＧｂ２と、訪問者の入館を承認する入館承認者、または面会確認者等のＩＤ番号を入力するための承認者ＩＤ番号入力フィールドＧｂ３と、承認者の氏名を入力するための氏名入力フィールドＧｂ４と、承認者のパスワードを入力するためのパスワード入力フィールドＧｂ５と、承認者のＥ−ｍａｉｌアドレスを入力するためのＥ−ｍａｉｌアドレス入力フィールドＧｂ６とを有している。
【０１３６】
また、上記入力したデータを登録するための登録釦Ｇｂ７と、上記入力された承認者データを選択した後に削除するための削除釦Ｇｂ８と、登録された承認者の情報を印刷するための印刷釦Ｇｂ９と、承認者登録のオペレーションを終了するための終了釦Ｇｂ１０とを有しており、それぞれの釦をクリックすることにより該当する処理を実行することができる。
【０１３７】
また、画面の左側領域には、本画面から移行することができるメニューが表示されており、入館証発行Ｇｂ１１、面会確認・強制無効Ｇｂ１２をそれぞれクリックすることにより、選択した処理に移行することができる。
【０１３８】
入館承認画面Ｇｃは、図１７に示すように、受付セキュリティ端末装置１１のネットワークカメラ１１ｅにより撮影された訪問者の顔写真が表示される訪問者表示部Ｇｃ１と、入館承認者が訪問者の所属する会社名を入力するための会社名入力フィールドＧｃ２と、訪問者の氏名を入力するための氏名入力フィールドＧｃ３と、訪問者の面会日時の有効期限を入力するための有効期限入力フィールドＧｃ４と、入館承認者が訪問者に対して設定したセキュリティグループおよびセキュリティレベルを入力するためのセキュリティグループ入力フィールドＧｃ５、セキュリティレベル入力フィールドＧｃ６とを有している。
【０１３９】
また、入館承認者が訪問者表示部Ｇｃ１に表示される訪問者の顔写真を確認し、上記入力フィールドＧｃ２、Ｇｃ３、Ｇｃ４、Ｇｃ５、Ｇｃ６に訪問者の会社名等の必要項目を入力した後、訪問者の入館を最終的に承認するための承認釦Ｇｃ７を有している。
【０１４０】
また、画面の左側領域には、本画面から移行することができるメニューが表示されており、面会確認・強制無効Ｇｃ８、承認者登録Ｇｂ９をそれぞれクリックすることにより、選択した処理に移行することができる。
【０１４１】
識別カード発行確認画面Ｇｅは、図１８に示すように、訪問者に識別カードｃを発行するに際して入館承認者が識別カードｃを最終確認をするために表示される識別カード表示部Ｇｅ１、入館承認者が表示された識別カードの発行を許可するためのＯＫ釦Ｇｅ２と、識別カードの発行をキャンセルするためのキャンセルＧｅ３とを有している。
【０１４２】
また、画面の左側領域には、本画面から移行することができるメニューが表示されており、再度、入館承認画面Ｇｃに戻るための入館証発行Ｇｅ４、面会確認・強制無効Ｇｅ５、承認者登録Ｇｅ６をそれぞれクリックすることにより、選択した処理に移行することができる。
【０１４３】
図１９に示す面会確認・強制無効画面Ｇｄは、訪問者との面会後に訪問者が退館するための面会確認オペレーション、および一度入館を許可した訪問者のゲートの通過を無効とするための強制無効オペレーションを行うための画面である。
【０１４４】
面会確認・強制無効画面Ｇｄには、面会確認オペレーションに際して、退館を許可する訪問者の識別コードを入力するための番号入力フィールドＧｄ１、…と、入力した識別コードの確認後にクリックする確認釦Ｇｄ２とを有している。
【０１４５】
また、強制無効オペレーションに際して、該訪問者の識別コードを入力するための番号入力フィールドＧｄ３、…と、入力した識別コードの確認後にクリックする無効釦Ｇｄ４とを有している。
【０１４６】
また、画面の左側領域には、本画面から移行することができるメニューが表示されており、入館証発行Ｇｄ５、面会確認・強制無効Ｇｄ６、承認者登録Ｇｄ７をそれぞれクリックすることにより、選択したメニューの処理に移行することができる。
【０１４７】
次に、訪問者が入館してから退館するまでの流れをフローチャート（図２１、図２２、図２３参照）を用いて説明する。
【０１４８】
なお、下記のシステム処理は、入退館セキュリティ管理システムのプログラムが実行されることにより行われるものである。
【０１４９】
また、本実施例では、識別カードｃａを用いるものとして説明を行う。
【０１５０】
訪問者がビルに到着し、図１１に示すように、ビル内の入り口に在る受付セキュリティ端末装置１１（図６参照）の前に立つと、専用の表示画面１１ａに図２０の第１画面ｕｇ１が表示されており、続いて表示される第２画面ｕｇ２において、例えば、訪問者が所属で探す釦ｕｇ２１をタッチして第３画面ｕｇ３を表示する。
【０１５１】
そして、第３画面ｕｇ３において、訪問者がユーザーサポート部釦ｕｇ３１をタッチし、第４画面ｕｇ４において企画課釦ｕｇ４１をタッチすると、企画課課員が表示される第５画面ｕｇ５に移行する。
【０１５２】
そして、第５画面ｕｇ５において面会希望の課員の釦をタッチすると、第６画面ｕｇ６が表示されるので、画面の指示に従って専用電話機１１ｂの受話器をとる。同時に、面会者にシステムにより自動的に電話がかけられる。（ステップ１）
なお、この場合、上記のシステム処理を用いずに、訪問者が直接、面会者に電話連絡する等の構成でもよい。
【０１５３】
面会者である入館承認者は、電話を受けて訪問者と連絡（訪問者明示情報）をとり、入館を承認する場合には図５に示す汎用業務用パソコン５を用いてＷＥＢブラウザを起動して、ログイン・メニュー画面Ｇａ（図１５参照）を表示して、自身のユーザＩＤをユーザＩＤ入力フィールドＧａ１に、パスワードをパスワード入力フィールドＧａ２にそれぞれ入力し、そして訪問者の入館を承認するための入館承認オペレーションを行うため訪問者入館証発行Ｇａ４メニューを選択した後、ログイン釦Ｇａ６をクリックする。
【０１５４】
すると、システムにより入力されたユーザＩＤに基づいて個人ＤＢが検索され、該当するレコードが存在し本システムの利用が許可されている場合には、訪問者の入館を許可するために入館証発行Ｇａ４メニューにログインすることができる。
【０１５５】
なお、入館承認者が個人ＤＢに登録されていない場合には入館証発行Ｇａ４メニューにログインすることができない。
【０１５６】
なお、承認者として個人ＤＢに登録して本システムを利用可能となるためには、ログイン・メニュー画面Ｇａ（図１５参照）から承認者登録Ｇａ３を選択して図１６に示す承認者登録画面Ｇｂに移行する。
【０１５７】
そして、部署名称コード入力フィールドＧｂ１に登録すべき人が所属する部署名称コードを選択し入力すると、システムにより部署名称コードに従って部署ＤＢが検索されて対応する部署名称が部署名称表示フィールドＧｂ２に表示される。
【０１５８】
引き続き、該人物のＩＤ番号、氏名、パスワード、およびＥ−ｍａｉｌアドレスを、それぞれ承認者ＩＤ番号入力フィールドＧｂ３、氏名入力フィールドＧｂ４、パスワード入力フィールドＧｂ５、およびＥ−ｍａｉｌアドレス入力フィールドＧｂ６に入力して登録釦Ｇｂ７をクリックすると、システムにより上記入力された情報が個人ＤＢに登録される。なお、複数人を一括して個人ＤＢに登録可能であることは言うまでもない。、
入館承認者が、入館証発行Ｇａ４メニューにログインした場合、図１７に示す入館承認画面Ｇｃに移行する。
【０１５９】
入館承認者は、入館承認画面Ｇｃにおいて、受付セキュリティ端末装置１１のネットワークカメラ１１ｅにより撮影される訪問者の顔を訪問者表示部Ｇｃ１にて確認し、面会を承認する場合には、訪問者の所属会社名、氏名、入館有効期限の日時、および訪問者に相応しいセキュリティグループ、セキュリティレベルを、それぞれ会社名入力フィールドＧｃ２、氏名入力フィールドＧｃ３、有効期限入力フィールドＧｃ４、セキュリティグループ入力フィールドＧｃ５、およびセキュリティレベル入力フィールドＧｃ６に入力する。
【０１６０】
そして、写真撮影釦（図示せず）をクリックすると、訪問者表示部Ｇｃ１に表示される訪問者の顔が写真撮影され、続いて、写真確認釦（図示せず）をクリックするとポップアップで写真画像が表示されるので、写真がＯＫの場合には、承認釦Ｇｃ７をクリックして入館を承認し、写真がＮＧの場合には、再度、訪問者の顔を撮影して写真がＯＫとなった後に、承認釦Ｇｃ７をクリックする。
【０１６１】
すると、図１８に示す識別カード発行確認画面Ｇｅが表示されるので、識別カード表示部Ｇｅ１に表示される識別カードの内容を最終確認して、ＯＫの場合にはＯＫ釦Ｇｅ２をクリックする。
【０１６２】
すると、システムにより、訪問者に対して固有の８桁の乱数の識別コードが付されるとともに、システム日時から現在の日時が取得され、入館ＤＢ（図８参照）に来訪者の識別コード、発行日、発行時間、来訪者の会社名、来訪者の氏名、来訪者の顔写真の画像データ、承認者のＩＤ番号、有効期限、セキュリティグループ、セキュリティレベルが訪問者のレコードとして記録される。（ステップ２）
同時に、上記データのうちの必要な情報を含むデータ（入域許可情報）がＬＡＮを介して受付セキュリティ端末装置１１における識別カード発行機１１ｄに送信されて識別カードｃａ（図１３（ａ）参照）が、入館が許可された訪問者に対して発行される。（ステップ３）
また、入館承認者が識別カードを誤って発行した場合には、識別カード発行確認画面Ｇｅにおいて、面会確認・強制無効Ｇｅ５メニューを選択して面会確認・強制無効画面Ｇｄ（図１９参照）に移行する。
【０１６３】
面会確認・強制無効画面Ｇｄにおいて、番号入力フィールドＧｄ３に誤って発行した識別カードｃａの識別コードを入力して、無効釦Ｇｄ４をクリックすることにより、システムにより入館ＤＢにおける当該識別コードのレコードの強制無効の項目のフラグが初期値０から１（強制無効情報）に変更され、当該識別コードのレコードは無効に処理される。
【０１６４】
なお、上記強制無効の内容は、入館承認者へ電子メールにて強制無効の記録として送られる。
【０１６５】
（ステップ４）
ここで、上記強制無効のオペレーションは、識別カードｃａを発行後、訪問者の入館有効期限内である場合には何時でも処理可能なものである。
【０１６６】
識別カードｃａを受け取った訪問者は、図１１、図５に示すように、入り口／出口ゲートであるゲートＧｉに付属する識別カード読み取り機４に入手した識別カードｃａを挿入する。（ステップ５）
すると、ＬＡＮを介して、当該ゲートＧｉのゲートアドレスおよび識別カードｃａから読み取られた識別コードの情報がシステムに送信される。
【０１６７】
システムにおいては、入館ＤＢを該識別コードにより検索して入館確認フラグが０、退館確認フラグが０、強制無効フラグが０である場合、且つ、付与されたセキュリティグループ、付与されたセキュリティレベルを取得し、セキュリティグループＤＢに取得したセキュリティグループ、セキュリティレベルのレコードに当該ゲートＧｉが存在し、且つ、有効期限内である場合にのみ通過許可の処理がなされる。（ステップ６）
従って、入館ＤＢに該識別コードのレコードが存在しなかったり、一度入館した訪問者がゲートＧｉを通過し退館して退館確認フラグが初期値０から１に変更されていたり、強制無効オペレーションがなされて強制無効フラグが１に変更されたり、訪問者に付与されたセキュリティグループ、レベルが該ゲートＧｉに設定されたセキュリティグループ、レベルを満たさない場合、有効期限経過後等にはゲートＧｉの通行は出来ないことになる。
【０１６８】
なお、上記条件の少なくとも一つの条件を適宜、選択して設定してもよい。
【０１６９】
上記条件を満たすレコードが存在した場合には、通過許可のゲート開処理が行われＬＡＮを介して接点信号が該ゲートＧｉに送信され、ゲートＧｉが開かれ訪問者が通過することが可能となる。（ステップ７）
このようにして、訪問者がゲートＧｉを通過した場合には、システムによりゲート通過ＤＢに、シリアル・ナンバーをキー項目ｋとして、システム日時からデータを取得したゲートの通過日付、時間と訪問者の識別コード（ゲート通過情報）、および通過したゲートコード（通過ゲート特定情報）がレコードとして記録され、さらに、入館ＤＢにおける入館確認フラグが初期値０から１（入域有情報）に変更される。（ステップ８）
上記条件を満たすレコードが存在しない場合には、該ゲートＧｉに接点信号が送信されず開ゲートしないため、訪問者は再度、面会確認者に連絡することになる。
【０１７０】
訪問者がゲートＧｉを通過してフロア内に入ると、面会者の居る場所に移動するために、図１１、図１２、図５に示すように、所定のサブゲートｓＧｊに進み該サブゲートｓＧｊに付属する識別カード読み取り機４に入手した識別カードｃａを挿入する。（ステップ９）  （図２２参照）
すると、ＬＡＮを介して、当該サブゲートｓＧｊのゲートアドレスおよび識別カードｃａから読み取られた識別コードの情報がシステムに送信される。
【０１７１】
システムにおいては、入館ＤＢのレコードを該識別コードにより検索して入館確認フラグが１、退館確認フラグが０、強制無効フラグが０である場合、且つ、セキュリティグループ、セキュリティレベルを取得し、セキュリティグループＤＢに取得したセキュリティグループ、セキュリティレベルのレコードに当該サブゲートｓＧｊが存在し、且つ、有効期限内である場合にのみ通過許可の処理がなされる。（ステップ１０）
従って、入館ＤＢに該識別コードのレコードが存在しなかったり、訪問者が入り口のゲートＧｉを通過しておらず入館確認フラグが初期値０であったり、強制無効オペレーションがなされて強制無効フラグが１に変更されたり、訪問者に付与されたセキュリティグループ、レベルが該サブゲートｓＧｊに設定されたセキュリティグループ、レベルを満たさない場合、有効期限経過後等にはサブゲートｓＧｊの通行は出来ないことになる。
【０１７２】
なお、上記条件の少なくとも一つの条件を適宜、選択して設定してもよい。
【０１７３】
上記条件を満たすレコードが存在した場合には、通過許可のゲート開処理が行われＬＡＮを介して接点信号が該サブゲートｓＧｊに送信され、サブゲートｓＧｊが開かれ訪問者の通過が可能となる。（ステップ１２）
このようにして、訪問者がサブゲートｓＧｊを通過した場合にはその都度、システムによりゲート通過ＤＢに、シリアル・ナンバーをキー項目ｋとして、システム日時からデータを取得したゲートの通過日付、通過時間と訪問者の識別コード（ゲート通過情報）および通過したゲートコード（通過ゲート特定情報）がレコードとして記録される。（ステップ１３）
上記条件を満たさなかった場合、該サブゲートｓＧｊに接点信号が送信されず開ゲートしないため訪問者がサブゲートｓＧｊを通過できず、システムによりその情報が入館承認者等に連絡される。（ステップ１１）
上述のサブゲートｓＧｊに関する処理と同様な処理が、訪問者が面会するまでに通過する何れのサブゲートｓＧｊにおいても行われる。  （ステップ１４）
このようにして、訪問者が面会者の居る場所までのサブゲートｓＧｉを通過し、面会者と面会することになる。（ステップ１５）
面会が終了すると、面会確認者である面会者は、図５に示す汎用業務用パソコン５を用いてＷＥＢブラウザを起動して、ログイン・メニュー画面Ｇａ（図１５参照）から、面会確認・強制無効画面Ｇｄ（図１９参照）を表示し、番号入力フィールドＧｄ１に訪問者が所持する識別カードｃａの識別コードを入力して確認釦Ｇｄ２をクリックすることにより面会確認オペレーションを行い、システムによって入館ＤＢにおける当該識別コードのレコードを検索し面会確認のフラグを初期値０から１（面会有情報）に変更処理する。
【０１７４】
なお、上記面会確認の内容は、面会確認者へ電子メールにて面会確認の記録として送られる。（ステップ１６）
訪問者は、面会終了後、図１１、図１２、図５に示すように、帰路に付くために所定のサブゲートｓＧｊに進み該サブゲートｓＧｊに付属する識別カード読み取り機４に所持する識別カードｃａを挿入する。（ステップ１７）
すると、ＬＡＮを介して、当該サブゲートｓＧｊのゲートアドレスおよび識別カードｃａから読み取られた識別コードの情報がシステムに送信される。
【０１７５】
システムにおいては、入館ＤＢのレコードを該識別コードにより検索して入館確認フラグが１、退館確認フラグが０、強制無効フラグが０である場合、且つ、セキュリティグループ、セキュリティレベルを取得し、セキュリティグループＤＢに取得したセキュリティグループ、セキュリティレベルのレコードに当該サブゲートｓＧｊが存在し、且つ、有効期限内である場合にのみ通過許可の処理がなされる。（ステップ１８−１）
従って、入館ＤＢに該識別コードのレコードが存在しなかったり、強制無効オペレーションがなされて強制無効フラグが１に変更されたり、訪問者に付与されたセキュリティグループ、セキュリティレベルが該サブゲートｓＧｊに設定されるセキュリティグループ、セキュリティレベルを満たさない場合、有効期限経過後等には該サブゲートｓＧｊの通行は出来ないことになる。
【０１７６】
なお、上記条件の少なくとも一つの条件を適宜、選択して設定してもよい。
【０１７７】
上記条件を満たすレコードが存在した場合には、通過許可のゲート開処理が行われ、ＬＡＮを介して接点信号が該サブゲートｓＧｉに送信されサブゲートｓＧｊが開かれ、訪問者が通過する。（ステップ１９）
このようにして、訪問者がサブゲートｓＧｉを通過した場合にはその都度、システムによりゲート通過ＤＢに、シリアル・ナンバーをキー項目ｋとして、システム日時からデータを取得したゲートの通過日付、時間と訪問者の識別コード（ゲート通過情報）、および通過したゲートコード（通過ゲート特定情報）がレコードとして記録される。（ステップ２０）
上記条件を満たさなかった場合、該サブゲートｓＧｉに接点信号が送信されず開ゲートしないため訪問者がサブゲートｓＧｊを通過できず、システムによりその情報が面会確認者等に連絡され、非常処理等が行われる。（ステップ１８−２）
上述のサブゲートｓＧｊに関する処理が、訪問者が帰りの出口となる入口／出口のゲートＧｉ（図１１参照）に到達するまでに通過する何れのサブゲートｓＧｉにおいても、同様に行われる。（ステップ２１）（図２３参照）
訪問者が、出口であるゲートＧｉに到達すると、ゲートＧｉに付属する識別カード読み取り機４（図５参照）に所持する識別カードｃａを挿入する。（ステップ２２）
すると、ＬＡＮを介して、当該ゲートＧｉのゲートアドレスおよび識別カードｃａから読み取られた識別コードの情報がシステムに送信される。
【０１７８】
システムにおいては、入館ＤＢを該識別コードにより検索して入館確認フラグが１、面会確認フラグが１、退館確認フラグが０、強制無効フラグが０である場合、且つ、セキュリティグループ、セキュリティレベルを取得し、セキュリティグループＤＢに取得したセキュリティグループ、セキュリティレベルのレコードに当該ゲートＧｉが存在し、有効期限内である場合にのみ通過許可の処理がなされる。（ステップ２３）
従って、入館ＤＢに該識別コードのレコードが存在しなかったり、面会確認オペレーションが行われておらず面会確認フラグが初期値０のままであったり、一度何れかのゲートＧｉを通過し退館して退館確認フラグが初期値０から１に変更されたり、強制無効オペレーションがなされて強制無効フラグが１に変更されたり、訪問者に付与されたセキュリティグループ、セキュリティレベルが該ゲートＧｉに設定されたセキュリティグループ、セキュリティレベルを満たさない場合、有効期限経過後等にはゲート該Ｇｉの通行は出来ないことになる。
【０１７９】
なお、上記条件の少なくとも一つの条件を適宜、選択して設定してもよい。
【０１８０】
上記条件を満たすレコードが存在した場合には、通過許可のゲート開処理が行われＬＡＮを介して接点信号が該ゲートＧｉに送信され、ゲートＧｉが開かれ訪問者の通過が可能となり退館できる。（ステップ２４）
このようにして、訪問者がゲートＧｉを通過した場合には、システムによりゲート通過ＤＢに、シリアル・ナンバーをキー項目ｋとして、システム日時からデータを取得したゲートの通過日付、時間と訪問者の識別コード（ゲート通過情報）、および通過したゲートコード（通過ゲート特定情報）がレコードとして記録され、また、入館ＤＢにおける退館確認フラグが初期値０から１（退域有情報）に変更される。（ステップ２５）
上記条件を満たさなかった場合、該ゲートＧｉに接点信号が送信されず開ゲートしないため訪問者がゲートＧｉを通過できず退館が不可能で、システムによりその情報が面会確認者等に連絡され面会確認オペレーション、非常処理等が行われる。
【０１８１】
上述の訪問者の識別カードｃａを用いた入退館が一度行われると、既に何れかのゲートＧｉを通過し入館し、且つ何れかのゲートＧｉを通過し退館しているため、当該識別カードｃａの識別コードの入館フラグ、退館フラグがそれぞれ初期値０から１に変更されている。
【０１８２】
また、入館ＤＢのレコードは一定期間経過後、ログとして退避され入館ＤＢには存在しなくなり、さらに識別コードは８桁の乱数であるので、同一識別コードのレコードは入館ＤＢには実際的には存在せず、同一の識別カードｃａでの再度の入館は不可能である。
【０１８３】
従って、一度入退館に使用された識別カードｃａは、再度の入館に使用しても有効には働かず入館することは不可能で無効であり、廃棄処分とする。
【０１８４】
また、上述の例では、セキュリティグループＤＢが、各々のセキュリティグループのセキュリティレベルで通過することが可能なゲートＧｉ、サブゲートｓＧｉの情報を有することとしたが、セキュリティグループＤＢを設けることなく、別途、ゲート管理ＤＢに各ゲートに承認されたセキュリティグループ、セキュリティレベルの情報をもつように構成してもよいし、或いは、ゲートＧｉ、サブゲートｓＧｉの総数が少ない場合等にはプログラム内に記述して処理をする構成としてもよい。
【０１８５】
また、上述の実施例では、各ゲートの通過制限の管理にセキュリティグループ、セキュリティレベルという概念を用いたが、セキュリティレベルを数値表現してセキュリティグループを１０の位、２０の位、３０の位、…、または桁数により擬似的に表して、構成することも可能である。
【０１８６】
例えば、総務部を１０の位、財務部を２０の位、営業部を３０の位等、或いは、総務部を１桁、財務部を２桁、営業部を３桁等と表わすこともでき、さらに、これらの表現を組合わせて表現する構成としてもしてもよい。
【０１８７】
また、発行される識別カードは、図１３（ａ）に示す識別カードｃａを用いる構成としたが、識別カードｃａ以外の識別カードｃｂ（図１３（ｂ）参照）、識別カードｃｃ（図１３（ｃ）参照）、識別カードｃｄ（図１３（ｄ）参照）等であってもよく、識別コードが記録されたものであるならば識別カードｃａ以外の形式を適宜、任意に選択することが可能である。
【０１８８】
従って、識別カードを識別コードのみが記録されたものとしてもよい。
【０１８９】
また、入館承認者を面会者としたが、面会者でない別人を入館承認者としてもよいし、同様に、面会確認者を面会者としたが、面会者でない別人を面会確認者としてもよい。
【０１９０】
また、上述の第１実施例においては識別番号を８桁以上の乱数とし、第２実施例においては識別コードを８桁の乱数とする場合を例示したが、前述したようにその桁数は任意に定めてもよく、また個々の訪問者を識別できれば、第１実施例、第２実施例で用いた数値以外のアルファベット、記号等のデータを採用し得ることは言うまでもない。
【０１９１】
上記構成によれば、ビル内の受け付け場所に受け付け嬢等を配置する必要がなく無人化が可能であり、割り高な人件費を削減することが可能である。
【０１９２】
また、入館に際して受付セキュリティ端末装置１１におけるネットワークカメラ１１ｅにより視覚を通じて訪問者の確認を行うため、実際に本人を確認してから入館を許可することが可能であり、不正訪問、なりすまし等を防止することが可能である。
【０１９３】
また、訪問者が各ゲートを通過する際、訪問者の識別カードが有効期限内であるか、強制無効されていないか等をチェックされ、所定の場合にのみゲートが開制御され通過することができるので、ゲート通過のセキュリティの向上を図ることが可能である。
【０１９４】
また、各ゲートの通過許可を、各ゲートにセキュリティグループ、セキュリティレベルを設定し、訪問者に付与されたセキュリティグループ、セキュリティレベルに許可されるゲート以外は訪問者が通過することができないという方法で行うため、訪問者に応じた建物内での行動制限を行うことができる。
【０１９５】
また、訪問者の面会したことを確認する面会確認オペレーションを行い面会確認オペレーションが行われた場合にのみ、訪問者が入り口／ゲート出口であるゲートＧｉが開制御され退館可能であり、面会していない場合には面会確認オペレーションが行われずゲートＧｉが開かれず退館することは不可能であるので、不正入館者の退館、訪問者の不審行動等を防止でき、セキュリティ向上の一助とすることができる。
【０１９６】
また、訪問者が各ゲートを通行時に、識別カードｃａの識別コード、通過時間等を記録するので各ゲートの通行者、通過時間等を全て管理でき、後々、問題が起きた場合にゲート通過情報を検索して参照することが可能であり、的確な対処が可能となる。
【０１９７】
また、訪問者が出口のゲートＧｉを通過して退館した場合に、入館ＤＢに記録した識別カードｃａに対するレコードに退館チェックを行い、また、入り口のゲートＧｉを通過した際にも入館ＤＢ内の識別カードｃａに対するレコードに入館チェックを行う等の該識別カードｃａの入退館を無効にする処理を行うため、一度退館すると同じ識別カードｃａで二度と入館することはできず、訪問者の入館に際して高度のセキュリティを保つことが可能である。
【０１９８】
また、本システムの利用者は、汎用のパソコンを用いて本システムを利用することが可能であり、専用の端末を必要とせず初期導入費を抑えつつ、入退館管理の利便性を上げられる。
【０１９９】
また、入退館に関する情報が記録されるので、訪問者の入館に関する日別、識別コード別、入館承認者別等の情報を画面で表示したり、帳票として出力して参照したり等の管理が適切に行える。
【０２００】
また、識別カードｃａ、識別カードｃｂには、訪問者の顔写真が印刷されるので館内に入館した訪問者が入館が許可された訪問者か不正入館者かどうかの見極めが可能で、不正入館者の発見が容易である。
【０２０１】
また、上記第２実施例の変形例１として、上述の（ステップ１６）（図２２参照）における面会確認の処理を行わない構成とすることも可能である。この場合、面会確認のフラグは使用しないこととなり、その他の構成は全く同様である。
【０２０２】
また、上記第２実施例の変形例２として、新たに訪問者面会予定用データベース（以下、訪問者面会予定用ＤＢと称す）、ファィル等を作成し、予め、面会者である役員、管理職、一般社員等の申請に従って人事部員が来訪予定の訪問者の面会情報、例えば、訪問者の所属会社名、氏名、入館有効期限の日時、および訪問者に相応しいセキュリティグループ、セキュリティレベルを付与し登録しておく。
【０２０３】
そして、前記第２実施例における（ステップ２）（図２１参照）の入館承認処理において、入館承認者が、予め訪問者面会予定用ＤＢ等に面会予定の訪問者を登録する際に来訪予定の訪問者にシステムによって付与された識別コードを入力することにより、訪問者の情報を訪問者面会予定用ＤＢ等から検索して該訪問者情報を入館ＤＢに記録し、訪問者に識別カードｃを発行する構成とすることも可能である。
【０２０４】
本構成の場合、訪問者面会予定用ＤＢ、ファィル等内にデータが存在しない訪問者の入館の承認は行えず、入館は不可能となる。
【０２０５】
上記構成によれば、入館承認者を専用担当者とすることができ、業務の分業化、業務遂行の合理化が図れる。
【０２０６】
なお、上記構成において、受け付けの入館承認者への連絡手段として受付セキュリティ端末装置１１のパソコン、専用電話機１１ｂ等を用いる構成としたが、訪問者の音声を音声認識装置により取得し既記録された該訪問者の音声と比較対照して同一の場合にのみ、システムにより自動的に該訪問者の情報を訪問者面会予定用ＤＢ等から検索して該訪問者情報を入館ＤＢに記録し、訪問者に識別カードｃを自動発行する構成とすることも可能である。
【０２０７】
上記構成によれば、入館承認者を配置する必要がなく訪問者の受け付けをシステムにより自動化することが可能である。
【０２０８】
また、上記第２実施例の変形例３として、図２４に示すような名刺ｍの文字を読み取る小型スキャナー（情報読み取り手段）Ｓｃを図６に示す受付セキュリティ端末装置１１に接続して設置する。
【０２０９】
本構成においては、訪問者が来訪した場合、まず、図２４に示すように、訪問者が所持する名刺ｍを小型スキャナーＳｃに挿入する。
【０２１０】
すると、名刺ｍに印刷されている文字が小型スキャナーＳｃにより文字データとして、システムに取得される。
【０２１１】
そして、訪問者が受付セキュリティ端末装置１１（図６参照）の表示画面１１ａ等を用いて入館承認者に連絡をとる。
【０２１２】
連絡を受けた入館承認者が、前述の入館承認処理（図２１のステップ２）を行うため汎用業務用パソコン５を立ち上げ、所定の操作を行い入館承認画面Ｇｃ（図１７参照）を表示して訪問者を確認後、入館承認画面Ｇｃにおけるデータ取得釦（図示せず）クリックすると、前記取得された訪問者の名刺ｍの文字データのうちの会社名、氏名のデータが、それぞれ会社名入力フィールドＧｃ２、氏名入力フィールドＧｃ３へシステムにより自動的に入力される。
【０２１３】
次いで、入館承認者は、訪問者の入館の有効期限を有効期限入力フィールドＧｃ４へ、また、訪問者に付与するセキュリティグループ、セキュリティレベルをそれぞれセキュリティグループ入力フィールドＧｃ５、セキュリティレベル入力フィールドＧｃ６に入力する。
【０２１４】
その後の処理は、前述の第２実施例の処理と同様に行われる。
【０２１５】
上記構成によれば、訪問者が所持する名刺を小型スキャナーＳｃに挿入することにより名刺の文字データがシステムに取得され、入館承認画面Ｇｃの所定の入力フィールドに自動入力されるため、入館承認者が入力作業を行う必要はなく、業務効率の向上に資する。
【０２１６】
なお、上記実施例では、第２実施例と同じく入館承認者が入館承認処理を行い入館承認画面Ｇｃを立ち上げ所定のオペレーションを行う構成としたが、本構成に代替して前述の第２実施例の変形例２の構成に上記名刺の文字データを自動取得する構成を適用することも可能である。
【０２１７】
すなわち、前述したように、新たに訪問者面会予定用ＤＢ、ファィル等を作成し、訪問者の来訪前に予め、面会者である役員、管理職、一般社員等の申請に従って人事部員が来訪予定の訪問者の面会情報、例えば、訪問者の所属会社名、氏名、入館有効期限の日時、および訪問者に相応しいセキュリティグループ、セキュリティレベルを付与し登録しておく。
【０２１８】
その後、訪問者が来訪し、所定の動作により小型スキャナーＳｃが訪問者の名刺ｍの文字データを読み込むと、システムにより該文字データのうちの例えば、訪問者の氏名等を用いて訪問者面会予定用ＤＢ等のレコードを検索する。
【０２１９】
該訪問者のレコードが訪問者面会予定用ＤＢ等に存在した場合には、システムにより訪問者面会予定用ＤＢ等のレコードが入館ＤＢに記録され、訪問者に識別カードｃが発行されるとともに、入館承認者にシステムにより連絡、例えば電話等がなされる。
【０２２０】
なお、該訪問者のレコードが訪問者面会予定用ＤＢ等に存在しない場合には、訪問者に識別カードｃが発行されることはない。
【０２２１】
上記構成によれば、訪問者が所持する名刺を小型スキャナーＳｃに挿入することにより名刺の文字データがシステムに取得され、入館が許可される場合はシステムにより自動的に入館ＤＢに記録されるとともに入館承認者へ連絡がとられるので、訪問者が受付セキュリティ端末装置１１（図６参照）の表示画面１１ａ等を用いて入館承認者に連絡をとる作業を行う必要がなく、また、入館承認者の入館承認作業が解消する。
【０２２２】
よって、訪問者および来訪を受ける側双方の便益に適い、以ってより一層の円滑なシステム運用を可能にする。
【０２２３】
また、上記第２実施例の変形例４として、入り口／出口のゲートＧｉおよびフロア内のサブゲートｓＧｉを設置せず、入り口および出口に警備員を配置して警備員による識別カードｃの確認を行い、訪問者の入退館を許可することとし、訪問者の入館記録をシステムにより残す構成としてもよい。
【０２２４】
なお、上述した実施例においては、ビルにおける入退館を例示しているが、その他の建物の入退館、或いは屋外の区域にゲートを設置した場合の入退域においても、本発明に関わる入退域セキュリティ管理システムを有効に適用し得ることは言うまでもない。
【０２２５】
【発明の効果】
本発明によれば、訪問者の入退域の受け付けの無人化が図られ、円滑な入退域管理およびセキュリティの向上を実現できる。
【図面の簡単な説明】
【図１】本発明に関わる第１実施例の入退館の流れの説明図。
【図２】本発明に関わる第１実施例の臨時入館者用入退館セキュリティ管理システム系統図。
【図３】本発明に関わる第１実施例の入館承認システムの承認設定画面。
【図４】本発明に関わる第１実施例の入館承認システムの面会確認および強制無効設定用画面。
【図５】本発明に関わる第２実施例のハードウェア構成を概念的に示す図。
【図６】（ａ）および（ｂ）は、本発明に関わる第２実施例の受付セキュリティ端末装置を示す正面図、および側面図。
【図７】本発明に関わる第２実施例の入退館セキュリティ管理システムの構成を概念的に示す図。
【図８】（ａ）、（ｂ）、（ｃ）、（ｄ）、（ｅ）、および（ｆ）は、本発明に関わる第２実施例に用いられる個人ＤＢ、部署ＤＢ、入館ＤＢ、ゲート通過ＤＢ、ゲート管理ＤＢ、およびセキュリティグループＤＢのレコードレイアウトを示す図。
【図９】本発明に関わる第２実施例のセキュリティグループ、セキュリティレベルの設定の１例を示す図。
【図１０】本発明に関わる第２実施例の２階建てのビル内の各ゲートにセキュリティグループ、セキュリティレベルを設定した例を示す図。
【図１１】図１０の２階建てのビル内の１階のフロアを示す図。
【図１２】図１０の２階建てのビル内の２階のフロアを示す図。
【図１３】（ａ）、（ｂ）、（ｃ）、および（ｄ）は、本発明に関わる第２実施例の識別カードの４つのタイプの例を示す図。
【図１４】本発明に関わる第２実施例の主要な画面の遷移を示す図。
【図１５】本発明に関わる第２実施例のログイン・メニュー画面を示す図。
【図１６】本発明に関わる第２実施例の承認者登録画面を示す図。
【図１７】本発明に関わる第２実施例の入館承認画面を示す図。
【図１８】本発明に関わる第２実施例の識別カード発行確認画面を示す図。
【図１９】本発明に関わる第２実施例の面会確認・強制無効画面を示す図。
【図２０】本発明に関わる第２実施例の受け付けシステムの画面遷移を示す図。
【図２１】本発明に関わる第２実施例の入退館のシステム処理の流れを示すフローチャート。
【図２２】本発明に関わる第２実施例の入退館のシステム処理の流れを示すフローチャート。
【図２３】本発明に関わる第２実施例の入退館のシステム処理の流れを示すフローチャート。
【図２４】本発明に関わる第２実施例の変形例３に用いられる小型スキャナーの使用状態を示す斜視図。
【符号の説明】
１ｂ  識別カード発券機（カード発行手段）
１ｃ  撮像機（撮影手段）
２ａ  承認用サーバ（訪問者情報処理装置、訪問者情報処理手段）
３  サーバ（訪問者情報処理装置、訪問者情報処理手段、ゲート開閉制御装置）
３ａ  管理サーバ（ゲート開閉制御装置）
５、５０  汎用業務用パソコン（訪問者情報処理装置、端末装置）
１０、１１  受付セキュリティ端末装置（タッチパネル式）（訪問者明示情報伝達手段）
１１ｄ  識別カード発行機（カード発行手段）
１１ｅ  ネットワークカメラ（撮影手段）
２０  入館承認システム（訪問者情報処理装置）
３０  入退館管理システム
４０、Ｇｉ  セキュリティゲート（ゲート、入口／出口ゲート）
ｃ、ｃａ、ｃｂ、ｃｃ、ｃｄ  識別カード
ｍ  名刺
Ｓｃ  小型スキャナー（情報読み取り手段）
ｓＧｊ  サブセキュリティゲート（ゲート、区域内ゲート）。
【図１】
2004197535.tif 000003
【図２】
2004197535.tif 000004
【図３】
2004197535.tif 000005
【図４】
2004197535.tif 000006
【図５】
2004197535.tif 000007
【図６】
2004197535.tif 000008
【図７】
2004197535.tif 000009
【図８】
2004197535.tif 000010
【図９】
2004197535.tif 000011
【図１０】
2004197535.tif 000012
【図１１】
2004197535.tif 000013
【図１２】
2004197535.tif 000014
【図１３】
2004197535.tif 000015
【図１４】
2004197535.tif 000016
【図１５】
2004197535.tif 000017
【図１６】
2004197535.tif 000018
【図１７】
2004197535.tif 000019
【図１８】
2004197535.tif 000020
【図１９】
2004197535.tif 000021
【図２０】
2004197535.tif 000022
【図２１】
2004197535.tif 000023
【図２２】
2004197535.tif 000024
【図２３】
2004197535.tif 000025
【図２４】
2004197535.tif 000026